(57)【要約】【課題】キャストの飛距離を伸ばす。【解決手段】ガイドリング２が装着されるリング装着孔を有する環状片１０と、釣竿の外周面に取り付けられる第一取付片１１と、釣竿の外周面に取り付けられ、環状片１０に対して、第一取付片１１とは反対側に位置する第二取付片１２と、環状片１０と第一取付片１１とを連結する第一支持片１６と、環状片１０と第二取付片１２とを連結する第二支持片１３とを備え、第一支持片１６は、環状片１０の周方向に離れた二箇所にそれぞれ接続された一対のアーム片１５を備え、アーム片１５は、第一取付片１１側の第一端部８０と環状片１０側の第二端部８１との間に、第一端部８０よりも剛性の小さい低剛性部９０を有している。【選択図】図１
2020174563.tif 000002
【特許請求の範囲】
【請求項１】
釣竿の外周面に取り付けられ、釣糸をガイドするガイドリングを保持するためのガイドフレームであって、
前記ガイドリングが装着されるリング装着孔を有する環状片と、
前記釣竿の前記外周面に取り付けられる第一取付片と、
前記環状片と前記第一取付片とを連結する第一支持片と、
前記釣竿の前記外周面に取り付けられ、前記環状片に対して、前記第一取付片とは反対側に位置する第二取付片と、
前記環状片と前記第二取付片とを連結する第二支持片と、を備え、
前記第一支持片は、前記環状片の周方向に離れた二箇所にそれぞれ接続された一対のアーム片を備え、
前記アーム片は、前記第一取付片側の第一端部と前記環状片側の第二端部との間に、前記第一端部よりも剛性の小さい低剛性部を有している、釣糸ガイドのガイドフレーム。
【請求項２】
前記アーム片の全長のうち前記第一端部近傍と前記第二端部近傍を除く前記アーム片の主要部が前記低剛性部である請求項１記載の釣糸ガイドのガイドフレーム。
【請求項３】
前記ガイドフレームは板金製であり、前記低剛性部は、板厚方向の寸法である厚さが、前記アーム片の前記第一端部よりも薄い請求項１又は２記載の釣糸ガイドのガイドフレーム。
【請求項４】
前記ガイドフレームは板金製であり、前記低剛性部は、板厚方向に対して直交する方向の寸法である幅が、前記アーム片の前記第一端部よりも狭い請求項１又は２記載の釣糸ガイドのガイドフレーム。
【請求項５】
請求項１乃至４の何れかのガイドフレームと、前記ガイドフレームの前記環状片の前記リング装着孔に装着されたガイドリングとを備えた釣糸ガイド。
【請求項６】
請求項５記載の釣糸ガイドを備えた釣竿。
【発明の詳細な説明】
【技術分野】
【０００１】
本発明は、釣糸を案内するための釣糸ガイドにおけるガイドフレームと、釣糸ガイドと、釣竿に関する。
【背景技術】
【０００２】
下記特許文献１記載の釣糸ガイドのガイドフレームは、金属板を打ち抜いて一体的に形成されたものであり、二つの取付足を有している。また、ガイドリングが装着される環状のリング保持部と一方の取付足との間には、左右一対の支脚が設けられている。二つの取付足は釣竿の外周面に取り付けられる。この釣糸ガイドが釣竿に取り付けられると、二つの取付足間において釣竿が曲がりにくくなる。特に、釣竿が曲がろうとしたときに左右一対の支脚が突っ張るため、釣竿の曲がりが阻害されやすく、飛距離が伸びにくい。
【先行技術文献】
【特許文献】
【０００３】
【特許文献１】特開２０００−２５３７７８号公報
【発明の概要】
【発明が解決しようとする課題】
【０００４】
本発明は、キャストの飛距離を伸ばすことを課題とする。
【課題を解決するための手段】
【０００５】
本発明に係る釣糸ガイドのガイドフレームは、釣竿の外周面に取り付けられる。ガイドフレームは、ガイドリングを保持する。ガイドリングは、釣糸をガイドする。ガイドフレームは、環状片と、第一取付片と、第一支持片と、第二取付片と、第二支持片とを備えている。環状片は、リング装着孔を有する。ガイドリングは、リング装着孔に装着される。第一取付片は、釣竿の外周面に取り付けられる。第一支持片は、環状片と第一取付片とを連結する。第二取付片は、釣竿の外周面に取り付けられる。第二取付片は、環状片に対して、第一取付片とは反対側に位置する。第二支持片は、環状片と第二取付片とを連結する。第一支持片は、一対のアーム片を備えている。一対のアーム片は、環状片の周方向に離れた二箇所にそれぞれ接続されている。アーム片は、第一取付片側の第一端部と環状片側の第二端部との間に、低剛性部を有している。低剛性部は、第一端部よりも剛性が小さい。
【０００６】
この構成によれば、アーム片が低剛性部を有している。そのため、キャスト時に釣竿が曲がろうとした際に、アーム片が釣竿の中心線方向に突っ張りにくくなり、アーム片が釣竿の曲がりに追従しやすい。一方、アーム片において第一取付片側の端部である第一端部は相対的に剛性が高い。そのため、キャスト時におけるアーム片の左右方向のぶれが抑制される。尚、左右方向とは、釣竿に釣糸ガイドが取り付けられた状態において、ガイドフレーム側から釣竿を見たとき、釣竿の中心線方向に対して直交する方向である。
【０００７】
好ましくは、アーム片の全長のうち第一端部近傍と第二端部近傍を除くアーム片の主要部が低剛性部である。
【０００８】
好ましくは、ガイドフレームは板金製であり、低剛性部は、板厚方向の寸法である厚さが、アーム片の第一端部よりも薄い。
【０００９】
好ましくは、ガイドフレームは板金製であり、低剛性部は、板厚方向に対して直交する方向の寸法である幅が、アーム片の第一端部よりも狭い。
【００１０】
また、本発明に係る釣糸ガイドは、ガイドフレームと、ガイドフレームの環状片に装着されたガイドリングとを備えたものである。また、本発明に係る釣竿は、上記釣糸ガイドを備えたものである。
【発明の効果】
【００１１】
以上のように、アーム片に低剛性部を設けることにより、キャスト時におけるアーム片の突っ張り感が低減されて、アーム片が釣竿の曲がりに追従しやすくなり、飛距離を伸ばすことができる。
【図面の簡単な説明】
【００１２】
【図１】本発明の一実施形態における釣糸ガイドを第一取付片側から見た斜視図。
【図２】同釣糸ガイドを第二取付片側から見た斜視図。
【図３】同釣糸ガイドを側方から見た図。
【図４】同釣糸ガイドの平面図。
【図５】同釣糸ガイドのアーム片を示す概略展開図。
【図６】（ａ）は図５のＡ−Ａ断面図、（ｂ）は図５のＢ−Ｂ断面図、（ｃ）は図５のＣ−Ｃ断面図。
【図７】同釣糸ガイドをガイドリングの中心線方向であって第二取付片側から見た図。
【図８】図７のＤ−Ｄ断面図。
【図９】同釣糸ガイドが釣竿の竿本体に取り付けられた状態を示す図３に対応した図。
【図１０】同釣糸ガイドが釣竿の竿本体に取り付けられた状態を示す図４に対応した図。
【図１１】（ａ）は本発明の他の実施形態における釣糸ガイドのアーム片を示す概略展開図、（ｂ）は同アーム片の側面図。
【図１２】（ａ）は図１１のＥ−Ｅ断面図、（ｂ）は図１１のＦ−Ｆ断面図、（ｃ）は図１１のＧ−Ｇ断面図。
【発明を実施するための形態】
【００１３】
以下、本発明の一実施形態に係る釣糸ガイドについて図１〜図１０を参酌しつつ説明する。釣糸ガイドは、釣竿の竿本体３（図９及び図１０参照）の外周面に取り付けられるガイドフレーム１と、ガイドフレーム１に装着され、釣糸を直接案内するためのガイドリング２とを備えている。尚、図中、ガイドリング２には、多数のドットを付して示している。釣糸ガイドは、釣竿の竿本体３の外周面の所定位置に接着等により固定される。従って、釣糸ガイドは固定ガイドである。釣糸ガイドは、リールが取り付け可能な種々の釣竿に取り付けられて使用されるが、特に投げ釣り用の釣竿（ロッド）やルアー釣り用の釣竿（ロッド）に適している。また、後述のように、釣糸ガイドは、釣竿に取り付けられる複数の釣糸ガイドのうち、最も竿元側に位置する釣糸ガイド、即ち、元ガイドに適しているが、他の位置に取り付けられる釣糸ガイドにも適用できる。
【００１４】
尚、以下の説明において、釣竿の中心線方向を前後方向とし、竿先側を前側、竿元側を後側とする。また、釣竿の径方向を上下方向とし、釣竿の外周面から径方向に離れる方向を上側とし、それとは逆の方向であって釣竿の外周面に接近する方向を下側とする。また、前後方向と上下方向とに直交する方向を左右方向とする。左右方向は、釣竿の外周面を径方向外側から見た場合において前後方向と直交する方向であり、釣竿の外周面の周方向である。尚、図３及び図４に、左右方向を矢印Ｘで示す。前後方向を矢印Ｙ１、Ｙ２で示し、前側を矢印Ｙ１で示し、後側を矢印Ｙ２で示す。上下方向を矢印Ｚ１、Ｚ２で示し、上側を矢印Ｚ１で示し、下側を矢印Ｚ２で示す。
【００１５】
＜ガイドフレーム１＞
ガイドフレーム１は、金属製であって、一枚の金属板から一体的に形成されたものである。即ち、ガイドフレーム１は、板金製の一体型のものである。従って、ガイドフレーム１は、一つの部材から構成されている。ガイドフレーム１は、一枚の金属板を所定形状に打ち抜いて、所定形状に打ち抜かれた平板状の金属板を折り曲げ加工することにより形成されている。使用される金属板は例えば厚さが１ｍｍ程度のものであって、板厚一定のものである。材質は、例えばステンレス鋼やチタン（チタン合金）である。尚、ガイドフレーム１の各部において、金属板の表面と裏面によって構成されている面を板面と称し、金属板がカットされた面である端面によって構成されている面を板端面と称することにする。
【００１６】
ガイドフレーム１は、環状片１０と、第一取付片１１と、第二取付片１２と、第一支持片１６と、第二支持片１３とを備えている。環状片１０は、リング装着孔２２を有する。リング装着孔２２に、ガイドリング２が装着される。第一取付片１１は、竿本体３の外周面に取り付けられる。第二取付片１２は、竿本体３の外周面に取り付けられる。第一支持片１６は、環状片１０と第一取付片１１とを連結する。第二支持片１３は、環状片１０と第二取付片１２とを連結する。第一取付片１１は、環状片１０に対して前側に位置し、第二取付片１２は、環状片１０に対して後側に位置する。あるいは、第一取付片１１は、環状片１０に対して後側に位置し、第二取付片１２は、環状片１０に対して前側に位置する。第一取付片１１は、環状片１０に対して、第二取付片１２とは反対側に位置する。第一取付片１１は、第二取付片１２よりも環状片１０から離れている。
【００１７】
第一取付片１１と第二取付片１２とを結ぶ方向が前後方向である。環状片１０側から第一取付片１１と第二取付片１２を見た場合において、前後方向と直交する方向が左右方向である。第一取付片１１と第二取付片１２に対して環状片１０側は上側に位置する。環状片１０は、第一取付片１１と第二取付片１２から上側に所定距離離間して位置している。環状片１０に対して第一取付片１１と第二取付片１２のうちの何れが前側に位置していてもよいが、以下、環状片１０に対して第一取付片１１が前側に位置する場合について説明する。
【００１８】
＜環状片１０＞
環状片１０は、ガイドリング２を保持する部分である。環状片１０は、平板状の円形環状である。環状片１０は、板面である第一面と第二面とを有している。環状片１０の第一面は第一取付片１１側に位置し、環状片１０の第二面は第二取付片１２側に位置している。従って、環状片１０の第一面は環状片１０の前面２０であり、環状片１０の第二面は環状片１０の後面２１である。環状片１０は、ガイドリング２を保持する。ガイドリング２は、リング装着孔２２に取り付けられている。リング装着孔２２は、環状片１０のほぼ中央部に位置している。リング装着孔２２は、環状片１０を貫通している。なお、図中には、リング装着孔２２は、環状片１０のほぼ中央部に位置しているが、環状片１０が楕円形状であったり、リング装着孔２２が、後述する貫通孔６３と一体となったりしている場合もある。リング装着孔２２の中心線方向は、環状片１０における板厚方向である。リング装着孔２２の中心線方向は、ガイドリング２の中心線方向である。環状片１０は、上下方向に対して前側に向けて所定角度傾斜している。リング装着孔２２の中心線方向は前後方向と平行ではなく、前側に所定角度傾倒している。リング装着孔２２の中心線方向が前後方向と平行である場合を０度としたとき、リング装着孔２２の中心線方向の傾斜角度は、好ましくは１度以上２０度以下である。リング装着孔２２の壁面は、環状片１０の内縁部であり、板端面である。リング装着孔２２の壁面は、ガイドリング２の外周面を保持するための保持面である。環状片１０の外縁部と内縁部は板端面である。
【００１９】
＜第一取付片１１＞
第一取付片１１は、環状片１０の前側に所定距離離間して位置している。環状片１０に対する第一取付片１１の前後方向の離間距離は、環状片１０に対する第二取付片１２の前後方向の離間距離よりも大きい。第一取付片１１は、環状片１０側から見て、即ち、平面視において、リング装着孔２２の中心線の延長線上に位置している。第一取付片１１は、板状であり、その板厚方向が上下方向である。第一取付片１１は、第一取付上面と、第一取付下面とを有している。第一取付上面を以下単に上面３０と称する。第一取付下面を以下単に下面３１と称する。第一取付片１１の下面３１は、釣竿の外周面に取り付けられる取り付け面である。第一取付片１１の下面３１は、第一取付片１１の裏面である。第一取付片１１の上面３０は、下面３１に対して反対側に位置する面である。第一取付片１１の上面３０は、第一取付片１１の表面である。第一取付片１１の上面３０と下面３１は、何れも板面である。第一取付片１１は、平面視において、前後方向に延びる形状である。第一取付片１１は、帯状である。第一取付片１１は、所定幅を有する。第一取付片１１は、平面視において、前後方向に長く左右方向に短い形状である。第一取付片１１の幅方向は左右方向である。第一取付片１１の前端部３２は平面視において前側に向けて膨らむように湾曲している。第一取付片１１の上面３０の前部は前側に向けて徐々に下降するように傾斜している。第一取付片１１の厚さは、前部において、徐々に前側に向けて薄くなっている。第一取付片１１の後端部３３は、第一支持片１６に接続されている。
【００２０】
第一取付片１１は、左右方向に沿って上側に向けて膨らむように湾曲している。第一取付片１１の湾曲形状は、前後方向の全長に亘って連続している。第一取付片１１の湾曲の程度は、釣竿の竿本体３の外周面に沿う程度であることが好ましい。第一取付片１１の下面３１は、左右方向に沿って上側に湾曲した凹状湾曲面である。第一取付片１１の上面３０は、第一取付片１１の下面３１に対応して湾曲していて、左右方向に沿って上側に湾曲した凸状湾曲面である。
【００２１】
＜第二取付片１２＞
第二取付片１２は、環状片１０の後側に位置している。第二取付片１２の前端部４２は、環状片１０の略直下に位置している。第二取付片１２の前端部４２は、環状片１０と略同一平面上に位置している。第二取付片１２は、平面視において、リング装着孔２２の中心線の延長線上に位置している。第一取付片１１と第二取付片１２は、平面視において互いに同一線上に位置している。第二取付片１２は、第一取付片１１と同様の構成である。第二取付片１２は、板状であり、その板厚方向が上下方向である。第二取付片１２は、第二取付上面と、第二取付下面とを有している。第二取付上面を以下単に上面４０と称する。第二取付下面を以下単に下面４１と称する。第二取付片１２の下面４１は、釣竿の外周面に取り付けられる取り付け面である。第二取付片１２の下面４１は、第二取付片１２の裏面である。第二取付片１２の上面４０は、下面４１に対して反対側に位置する面である。第二取付片１２の上面４０は、第二取付片１２の表面である。第二取付片１２の上面４０と下面４１は、何れも板面である。第二取付片１２は、平面視において、前後方向に延びる形状である。第二取付片１２は、所定幅を有し、帯状である。第二取付片１２は、平面視において、前後方向に長く左右方向に短い形状である。第二取付片１２の幅方向は左右方向である。尚、第二取付片１２の後端部４２は、平面視において、後側に向けて膨らむように湾曲している。第二取付片１２の上面４０の後部は、後側に向けて徐々に下降するように傾斜している。第二取付片１２の厚さは、後部において、徐々に後側に向けて薄くなっている。
【００２２】
第二取付片１２は、第一取付片１１と同様に、前後方向の全長に亘って、左右方向に沿って上側に向けて膨らむように湾曲していている。第二取付片１２の湾曲の程度は、第一取付片１１のそれと同程度である。第二取付片１２の下面４１は、左右方向に沿って上側に向けて湾曲した凹状湾曲面であり、第二取付片１２の上面４０は、左右方向に沿って上側に向けて湾曲した凸状湾曲面である。
【００２３】
＜第一支持片１６＞
第一支持片１６は、環状片１０の左右両側部と第一取付片１１の後端部とを連結している。第一取付片１１は、第一支持片１６の前端部から前側に向けて延びている。第一支持片１６は、立ち上がり片１４と、左右一対のアーム片１５とを備えている。
【００２４】
＜立ち上がり片１４＞
立ち上がり片１４は、左右一対の側縁部５１を有している。立ち上がり片１４は、立ち上がり下面と、立ち上がり上面とを有している。立ち上がり下面を以下単に下面５３と称する。立ち上がり上面を以下単に上面５２と称する。立ち上がり片１４の下面５３は、第一取付片１１の下面３１と連続している。立ち上がり片１４の上面５２は、第一取付片１１の上面３０と連続している。立ち上がり片１４の上面５２と下面５３は何れも板面である。
【００２５】
立ち上がり片１４は、第一取付片１１の後端部３３から後側に向けて延びていて、左右一対のアーム片１５は、立ち上がり片１４から後側に向けて延びている。立ち上がり片１４は、左右一対のアーム片１５と第一取付片１１とを連結している。立ち上がり片１４は、第一取付片１１に対して上側に所定角度傾斜している。即ち、立ち上がり片１４は、第一取付片１１に対して、左右方向に沿った折り曲げ線で平面視谷折り状に折り曲げられている。尚、折り曲げ部における上面の前後方向に沿った曲面の曲率半径は小さく、折り曲げ部の下面の前後方向に沿った曲面の曲率半径は大きい。第一取付片１１に対する立ち上がり片１４の傾斜角度は例えば４５度以下である。立ち上がり片１４の後端部５０は、第一取付片１１の前端部３２と同幅である。立ち上がり片１４の左右両側縁部５１間の寸法が幅である。立ち上がり片１４の幅は、後側に向けて徐々に狭くなっている。立ち上がり片１４は、後側に向けて徐々に細くなっている。立ち上がり片１４は、第一取付片１１から離れる方向に向けて徐々に細くなっている。立ち上がり片１４の左右両側縁部５１同士の間の離間距離は、図４のように、後側に向けて徐々に小さくなっている。立ち上がり片１４は、上面５２側から見て略台形である。
【００２６】
立ち上がり片１４は、左右方向に沿って上側に向けて膨らむように湾曲している。立ち上がり片１４の上面５２は、左右方向に沿って上側に向けて湾曲した凸状湾曲面である。立ち上がり片１４の下面５３は、左右方向に沿って上側に向けて湾曲した凹状湾曲面である。立ち上がり片１４の下面５３は、第一取付片１１の下面３１と前後方向に滑らかに連続している。立ち上がり片１４の下面５３と第一取付片１１の下面３１の境界部は、前後方向に沿って下側に向けて湾曲している。立ち上がり片１４の下面５３と第一取付片１１の下面３１の境界部も左右方向に沿って上側に湾曲している。第一取付片１１の下面３１の左右方向に沿った湾曲形状は、立ち上がり片１４の下面５３の左右方向に沿った湾曲形状と連続している。第一取付片１１の左右方向に沿った湾曲形状と、立ち上がり片１４の左右方向に沿った湾曲形状は、前後方向に沿って滑らかに連続している。
【００２７】
＜アーム片１５＞
一対のアーム片１５は、環状片１０の周方向に離れた二箇所と立ち上がり片１４の左右一対の側縁部５１とを連結している。一対のアーム片１５は、平面視において互いに左右対称である。各アーム片１５の幅は、第一取付片１１の幅よりも狭い。アーム片１５は、立ち上がり片１４側の端部である第一端部と、環状片側１０の端部である第二端部とを有している。本実施形態において、第一端部は前端部８０であり、第二端部は後端部８１である。一対のアーム片１５の前端部８０は、それぞれ立ち上がり片１４の左右両側縁部５１に接続されている。一対のアーム片１５は、立ち上がり片１４の左右両側縁部５１を折り曲げ線として、立ち上がり片１４に対して上側に即ち平面視谷折り状に折り曲げられている。図３のように、一対のアーム片１５は、側面視において、後側に向けて徐々に傾斜しつつ上昇して延びている。一対のアーム片１５は、本実施形態のように、側面視において、前後方向に沿って上側に湾曲していることが好ましいが、湾曲せずに直線状であってもよいし、逆に前後方向に沿って下側に湾曲していてもよい。また、図４のように、一対のアーム片１５は、平面視において、後側に向けて徐々に互いの離間距離を広げつつ延びている。即ち、一対のアーム片１５は、平面視において、略Ｖ字状に広がりながら後方に延びている。一対のアーム片１５は、本実施形態のように、平面視において、左右方向に沿って外側に湾曲していることが好ましいが、湾曲せずに直線状であってもよいし、逆に左右方向に沿って内側に湾曲していてもよい。
【００２８】
一対のアーム片１５の後端部８１は、それぞれ環状片１０の外縁部の左右両側部に接続されている。図中では、アーム片１５と環状片１０との接続箇所は、リング装着孔２２の左右方向の中心線上に位置している。従って、アーム片１５は、環状片１０の全周のうち、最も左右方向の寸法が大きい箇所に接続されている。なお、一対のアーム片１５の後端部は、環状片１０の外縁部の離間した二箇所に接続されていればよい。
【００２９】
アーム片１５は、第一アーム面８２及び第二アーム面８３と、第一側面８４及び第二側面８５を有している。本実施形態において、第一アーム面８２及び第二アーム面８３は、金属板の表裏両面から構成される。従って、第一アーム面８２及び第二アーム面８３は、板面である。第一側面８４及び第二側面８５は、金属板の端面から構成される。従って、第一側面８４と第二側面８５は、板端面である。アーム片１５における金属板の板厚方向は、アーム片１５における第一アーム面８２と第二アーム面８３の法線方向である。アーム片１５の厚さは、第一アーム面８２と第二アーム面８３との間の寸法であり、アーム片１５の幅は、第一側面８４と第二側面８５との間の寸法である。
【００３０】
アーム片１５は、立ち上がり片１４から環状片１０にかけて、捻れながら延びている。アーム片１５の前端部８０において、第一アーム面８２は立ち上がり片１４の上面５２とつながっていて、第二アーム面８３は立ち上がり片１４の下面５３とつながっている。アーム片１５の後端部８１において、第一アーム面８２は環状片１０の前面２０とつながっていて、第二アーム面８３は環状片１０の後面２１とつながっている。第一アーム面８２は、後端部８１において環状片１０の径方向内側を向いている。第二アーム面８３は、後端部８１において環状片１０の径方向外側を向いている。
【００３１】
一対のアーム片１５はそれぞれ低剛性部を有している。低剛性部は、アーム片１５の全長のうち中途部に位置している。低剛性部は、アーム片１５の前端部８０よりも剛性の小さい部分である。低剛性部の剛性をアーム片１５の前端部８０の剛性よりも小さくするための構成は種々であってよい。本実施形態では、低剛性部は、アーム片１５の前端部８０よりも幅が狭い幅狭部９０である。図５及び図６にアーム片１５の幅狭部９０の一例を示している。尚、図５は、アーム片１５の全長を捻れのない状態で示した概略展開図であって、アーム片１５を第一アーム面８２から見た図である。
【００３２】
アーム片１５は、第一幅広部９１と幅狭部９０と第二幅広部９２とを有している。アーム片１５の全長は、第一幅広部９１と幅狭部９０と第二幅広部９２に区画される。幅狭部９０の幅Ｗ２は、第一幅広部９１の幅Ｗ１及び第二幅広部９２の幅Ｗ３よりも狭い。第一幅広部９１は、アーム片１５の前端部８０近傍の領域である。第二幅広部９２は、アーム片１５の後端部８１近傍の領域である。幅狭部９０は、アーム片１５の全長のうち第一幅広部９１と第二幅広部９２を除く中間領域である。第一幅広部９１と第二幅広部９２と幅狭部９０のそれぞれの長さは種々であってよい。第一幅広部９１の長さと第二幅広部９２の長さは互いに等しくてもよいし互いに異なっていてもよい。幅狭部９０の長さは、第一幅広部９１の長さや第二幅広部９２の長さよりも長いことが好ましい。幅狭部９０は、アーム片１５の全長のうちの半分以上の長さを占めることが好ましく大部分の長さを占めることが好ましい。即ち、幅狭部９０は、アーム片１５の主要部であることが好ましい。第一幅広部９１の幅Ｗ１と第二幅広部９２の幅Ｗ３は、互いに同じであってもよいし異なっていてもよい。幅狭部９０の幅Ｗ２は、本実施形態において、幅狭部９０の全長に亘って一定である。但し、幅狭部９０の幅Ｗ２は、幅狭部９０の全長に亘って一定でなくてもよく、例えば、アーム片１５の中央部に向けて徐々に幅が狭くなっていてもよい。尚、アーム片１５の厚さＴは全長に亘って一定である。アーム片１５は、ガイドフレーム１の他の部分と同じ厚さである。
【００３３】
＜第二支持片１３＞
第二支持片１３は、環状片１０の下部と第二取付片１２の前端部４２とを連結している。図中の環状片１０と第二支持片１３は、一つの連続した平面を構成している。即ち、第二支持片１３は、環状片１０に対して前後方向に折れ曲がっておらず、環状片１０と同一面上に位置する。また、第二支持片１３は、前後方向に沿って湾曲しておらず、平面状である。従って、環状片１０を構成する平面と、第二支持片１３を構成する平面は、互いに同一である。第二支持片１３の前面６０は環状片１０の前面２０と同一平面であり、第二支持片１３の後面６１は環状片１０の後面２１と同一平面である。第二支持片１３の前面６０と後面６１が板面である。そして、第二支持片１３は、第二取付片１２に対して略直角上方に折り曲げられている。第二支持片１３は、第二取付片１２に対して９０度の折り曲げ角度で立ち上がっていてもよいが、１度以上２０度以下の範囲で前側に傾倒した状態で立ち上がっていることが好ましい。なお、第二支持片１３は、環状片１０と同一平面だけでなく、湾曲や屈曲となることもある。
【００３４】
第二支持片１３をリング装着孔２２の中心線方向に沿って見たときの正面視の形状は種々であってよいが、本実施形態のように左右一対の支持脚片６２を備えることが好ましい。即ち、第二支持片１３は、一本の支持脚片６２のみを備える一本脚の構成であってもよいが、左右一対の支持脚片６２を備える二本脚の構成であることが好ましい。左右一対の支持脚片６２は、第二取付片１２の前端部４２から所定距離上方の位置から左右に分岐して延びている。一対の支持脚片６２同士の間の離間距離は、上側に向けて徐々に広がっていく。正面視において、一対の支持脚片６２は、略Ｖ字状である。第二支持片１３の中央部には前後方向に貫通する貫通孔６３が形成されている。貫通孔６３は略逆三角形状である。貫通孔６３は、左右の支持脚片６２と環状片１０によって画成されている。一対の支持脚片６２の上端部は、環状片１０の外縁部に接続されている。一対の支持脚片６２の上端部は、環状片１０の下側半分領域における周方向に離間した二箇所に接続されている。従って、一対の支持脚片６２の上端部は、左右一対のアーム片１５の後端部８１よりも下側に位置している。支持脚片６２の外側の側縁部６２ａ（板端面）は、図７のように、正面視において、環状片１０の外縁部に対する接線あるいは接線に近い形状である。
【００３５】
＜ガイドリング２＞
ガイドリング２は、代表的には円形の環状であるが、楕円形や長円形等であってもよい。本実施形態ではガイドリング２は、円形である。ガイドリング２は、リング本体部７０と、フランジ部７１とを有する。リング本体部７０は、筒状である。リング本体部７０は、内周面と外周面を有している。リング本体部７０の少なくとも一部がリング装着孔２２に挿入される。フランジ部７１は、リング本体部７０の外周面から径方向外側に突出している。フランジ部７１は、環状片１０に接している。フランジ部７１は、リング本体部７０の外周面の一端部に位置する。リング本体部７０の内周面がガイドリング２の内周面である。フランジ部７１は全周に亘って形成されている。ガイドリング２は好ましくは接着によりガイドフレーム１に取り付けられる。
【００３６】
リング本体部７０の外周面はリング装着孔２２の壁面に取り付けられる。本実施形態においてフランジ部７１は環状片１０の後側に位置しており、リング本体部７０はリング装着孔２２に後側から挿入される。フランジ部７１の前面が環状片１０の後面２１に取り付けられている。リング本体部７０の外径はリング装着孔２２の直径と略同一である。フランジ部７１の外径は、リング装着孔２２の直径よりも大きく、環状片１０の外径（環状片１０の外縁部の直径）よりも小さい。従って、フランジ部７１の外周面は、環状片１０の外縁部から径方向外側にはみ出さずにそれよりも径方向内側に位置する。
【００３７】
ガイドリング２の中心線方向の寸法を厚さとすると、ガイドリング２の厚さは、環状片１０の厚さ、即ち、ガイドフレーム１を構成している金属板の板厚よりも厚い。また、ガイドリング２の前面は環状片１０の前面２０よりも前側に僅かに突出しているが、互いに略面一であってもよい。フランジ部７１の厚さは環状片１０の厚さよりも厚い。ガイドリング２が環状片１０の前面２０に対して前側に突出している量は、ガイドリング２が環状片１０の後面２１に対して後側に突出している量よりも小さい。
【００３８】
ガイドリング２の内周面は、ガイドリング２の中心に向かって膨らむように湾曲した湾曲面を有している。ガイドリング２の内周面は、前端部に、前後方向に沿って径方向内側に向けて湾曲した第一曲面７２を有している。ガイドリング２の内周面は、後端部に、前後方向に沿って径方向内側に向けて湾曲した第二曲面７３を有している。第二曲面７３の曲率半径は、第一曲面７２の曲率半径よりも大きい。このようにガイドリング２の内周面の後端部に大きな曲率半径を有する第二曲面７３が形成されていることにより、ガイドリング２の内周面は後側に向けて拡径している。尚、ガイドリング２がフランジ部７１を有しない構成であってもよい。
【００３９】
＜取付状態＞
この釣糸ガイドは、釣竿の竿本体３の外周面に取り付け固定される。取付方法は、例えば巻糸と接着剤の塗布による。釣糸ガイドが釣竿の竿本体３に取り付けられた状態において、釣糸ガイドにおける前後方向Ｙ１，Ｙ２は、竿本体３の中心線方向となる。取付状態において、釣糸ガイドにおける左右方向Ｘは、釣糸ガイドから竿本体３を見たときに前後方向Ｙ１，Ｙ２と直交する方向となる。取付状態において、釣糸ガイドにおける上下方向Ｚ１，Ｚ２は、竿本体３の径方向となる。釣糸ガイドにおける上側Ｚ１は、竿本体３の径方向外側となり、竿本体３の外周面から離れる方向となる。釣糸ガイドにおける下側Ｚ２は、竿本体３の径方向内側となり、竿本体３の外周面に接近する方向となる。釣糸ガイドの前後の向きは任意であるが、例えば、第一取付片１１が環状片１０に対して竿先側に位置し、第二取付片１２が環状片１０に対して竿元側に位置する。図９及び図１０において、向かって左側が竿先側であり右側が竿元側である。釣糸ガイドの前側Ｙ１が竿先側となり、釣糸ガイドの後側Ｙ２が竿元側となる。釣糸ガイドが竿本体３に取り付けられた状態においてガイドリング２は若干竿先側に傾倒した姿勢となる。但し、ガイドリング２の中心線が竿本体３の中心線と平行であってもよい。
【００４０】
尚、図９及び図１０では、釣糸ガイドが竿本体３の上側に位置する状態を図示しているが、実際の使用状態においては釣糸ガイドは竿本体３に対して上側に位置していてもよいし下側に位置していてもよく、釣糸ガイドの位置や向きは任意である。例えば、スピニングリールを使用する場合、通常、スピニングリールは竿本体３の下側に位置する。その場合、釣糸ガイドは竿本体３の下側に位置する。両軸受リールを使用する場合、通常、両軸受リールは竿本体３の上側に位置する。その場合、釣糸ガイドは竿本体３の上側に位置する。このように、釣糸ガイドは、竿本体３に対してリールと同じ方向に位置する。
【００４１】
この釣糸ガイドのガイドフレームのアーム片１５は、中途部に幅狭部９０を有しているので、キャスト時にアーム片１５が過度に突っ張らず、釣竿の曲がりに追従しやすい。そのため、飛距離が伸びる。特に、アーム片１５において大部分の長さを占める主要部が幅狭部９０となっているので、釣竿の曲がりに対する追従性に優れていて、飛距離を伸ばすことができる。また、幅狭部９０によってアーム片１５の剛性を容易に低下させることができ、製造が容易である。一方、アーム片１５の前端部８０近傍には第一幅広部９１が設けられているので、アーム片１５の前端部８０近傍の剛性が確保される。そのため、アーム片１５の左右方向のぶれが抑制される。アーム片１５の左右方向のぶれが抑制されることにより、ガイドリング２の前後、左右、又はねじり方向のぶれが抑制され、キャスト時の釣糸の抵抗が小さくなり、糸絡みを低減でき、飛距離を伸ばすことができる。特に、本実施形態では、左右一対のアーム片１５同士の合流点に立ち上がり片１４が設けられているので、左右一対のアーム片１５同士の合流点の剛性が大きく、アーム片１５の左右方向のぶれが抑制される。また、立ち上がり片１４が左右方向に沿って上側に湾曲していると、立ち上がり片１４の強度が更に大きくなって好ましい。一方、アーム片１５の後端部８１近傍には第二幅広部９２が設けられているので、アーム片１５と環状片１０との接続部近傍の剛性が確保される。そのため、ガイドリング２の前後、左右、又はねじり方向のぶれが抑制される。
【００４２】
尚、本実施形態では低剛性部として幅狭部９０を設けていたが、低剛性部の構成は種々変更可能である。例えば、低剛性部として薄肉部９３を設けてもよい。アーム片１５に薄肉部９３を設けた構成を図１１及び図１２に示している。図１１は、アーム片１５の全長を捻れのない状態で示した概略展開図であって、図１１（ａ）は、アーム片１５を第一アーム面８２から見た図であり、図１１（ｂ）は、アーム片１５を第一側面８４から見た図である。
【００４３】
アーム片１５は、第一厚肉部９４と薄肉部９３と第二厚肉部９５とを有している。アーム片１５の全長は、第一厚肉部９４と薄肉部９３と第二厚肉部９５に区画される。薄肉部９３の厚さＴ２は、第一厚肉部９４の厚さＴ１及び第二厚肉部９５の厚さＴ３よりも薄い。尚、第一厚肉部９４の厚さＴ１と第二厚肉部９５の厚さＴ３は互いに同じであってもよいし、異なっていてもよい。また第一厚肉部９４の厚さＴ１や第二厚肉部９５の厚さＴ３は、ガイドフレーム１の他の部分の厚さと同じであってもよいし、異なっていてもよい。薄肉部９３の厚さＴ２は、本実施形態において、薄肉部９３の全長に亘って一定である。但し、薄肉部９３の厚さＴ２は、薄肉部９３の全長に亘って一定でなくてもよく、例えば、アーム片１５の中央部に向けて徐々に薄くなっていてもよい。
【００４４】
第一厚肉部９４は、アーム片１５の前端部８０近傍の領域である。第二厚肉部９５は、アーム片１５の後端部８１近傍の領域である。薄肉部９３は、アーム片１５の全長のうち第一厚肉部９４と第二厚肉部９５を除く中間領域である。第一厚肉部９４と第二厚肉部９５と薄肉部９３のそれぞれの長さは種々であってよい。第一厚肉部９４の長さと第二厚肉部９５の長さは互いに等しくてもよいし互いに異なっていてもよい。薄肉部９３の長さは、第一厚肉部９４の長さや第二厚肉部９５の長さよりも長いことが好ましい。薄肉部９３は、アーム片１５の全長のうちの半分以上の長さを占めることが好ましく大部分の長さを占めることが好ましい。即ち、薄肉部９３は、アーム片１５の主要部であることが好ましい。アーム片１５の幅Ｗは全長に亘って略一定である。
【００４５】
このようにアーム片１５の中途部に薄肉部９３を設けると、キャスト時にアーム片１５が過度に突っ張らず、釣竿の曲がりにアーム片１５が追従しやすく、飛距離が伸びる。また、薄肉部９３によってアーム片１５の剛性を容易に低下させることができる。一方、アーム片１５の前端部８０近傍と後端部８１近傍にはそれぞれ第一厚肉部９４と第二厚肉部９５が設けられているので、アーム片１５の前端部８０近傍と後端部８１近傍の剛性が確保される。そのため、アーム片１５の左右方向のぶれが抑制される結果、ガイドリング２の前後、左右、又はねじり方向のぶれが抑制されて、糸絡みを低減でき、飛距離を伸ばすことができる。尚、低剛性部を幅狭部９０とすると共に薄肉部９３としてもよい。
【符号の説明】
【００４６】
１    ガイドフレーム
２    ガイドリング
３    竿本体
１０    環状片
１１    第一取付片
１２    第二取付片
１３    第二支持片
１４    立ち上がり片
１５    アーム片
１６    第一支持片
２０    環状片の前面
２１    環状片の後面
２２    リング装着孔
３０    第一取付片の上面
３１    第一取付片の下面
３２    第一取付片の前端部
３３    第一取付片の後端部
４０    第二取付片の上面
４１    第二取付片の下面
４２    第二取付片の前端部
４３    第二取付片の後端部
５０    立ち上がり片の後端部
５１    立ち上がり片の側縁部
５２    立ち上がり片の上面
５３    立ち上がり片の下面
６０    第二支持片の前面
６１    第二支持片の後面
６２    支持脚片
６２ａ  側縁部
６３    貫通孔
７０    リング本体部
７１    フランジ部
７２    第一曲面
７３    第二曲面
８０    アーム片の前端部（第一端部）
８１    アーム片の後端部（第二端部）
８２    第一アーム面
８３    第二アーム面
８４    第一側面
８５    第二側面
９０    幅狭部
９１    第一幅広部
９２    第二幅広部
９３    薄肉部
９４    第一厚肉部
９５    第二厚肉部
【図１】
2020174563.tif 000003
【図２】
2020174563.tif 000004
【図３】
2020174563.tif 000005
【図４】
2020174563.tif 000006
【図５】
2020174563.tif 000007
【図６】
2020174563.tif 000008
【図７】
2020174563.tif 000009
【図８】
2020174563.tif 000010
【図９】
2020174563.tif 000011
【図１０】
2020174563.tif 000012
【図１１】
2020174563.tif 000013
【図１２】
2020174563.tif 000014